(57)【要約】【課題】 所望の場所にて携帯情報端末を利用したテレビ番組の録画予約及び視聴の双方が可能であり、かつセキュリティレベルが高い映像コンテンツ録画配信システムを提供する。【解決手段】 ネットワークを介して映像コンテンツの録画予約が可能であり、かつ、ネットワークを介して受信した、録画予約指令に従って録画された映像コンテンツを視聴可能な携帯情報端末と、携帯情報端末が接続する際に携帯情報端末に固有の識別情を用いて携帯情報端末の認証を行い、録画予約に従って録画した映像コンテンツを携帯情報端末にて視聴可能な形式に変換し、ネットワークを介して携帯情報端末に配信するサーバ装置とを備える。【選択図】 図１
2005303711.tif 000002
【特許請求の範囲】
【請求項１】
ネットワークを介して映像コンテンツの録画予約が可能であり、かつ、ネットワークを介して受信した、当該録画予約指令に従って録画された映像コンテンツを視聴可能な携帯情報端末と、
上記携帯情報端末が接続する際に上記携帯情報端末に固有の識別情報を用いて上記携帯情報端末の認証を行い、上記録画予約に従って録画した映像コンテンツを上記携帯情報端末にて視聴可能な形式に変換し、ネットワークを介して上記携帯情報端末に配信するサーバ装置と
を備えることを特徴とする映像コンテンツ録画配信システム。
【請求項２】
携帯情報端末は、携帯電話であること
を特徴とする請求項１に記載の映像コンテンツ録画配信システム。
【請求項３】
識別情報は、電話番号であること
を特徴とする請求項２に記載の映像コンテンツ録画配信システム。
【請求項４】
サーバ装置は、
携帯情報端末が当該サーバ装置に接続する際に、当該携帯情報端末に固有の識別情報を用いて上記携帯情報端末の認証を行う通信認証部と、
上記携帯情報端末からの映像コンテンツの録画予約をネットワークを介して受信する録画予約部と、
当該録画予約に従って映像コンテンツの録画を行う録画処理部と、
当該録画された映像コンテンツをネットワークを介して上記携帯情報端末に配信する配信制御部と
を備えることを特徴とする請求項１から３項のいずれか１項に記載の映像コンテンツ録画配信システム。
【請求項５】
ネットワークを介して映像コンテンツの録画予約を送信する送信部と、
当該録画予約指令に従って録画された映像コンテンツをネットワークを介して受信する受信部と、
当該映像コンテンツを視聴可能な表示部と
を備えることを特徴とする携帯情報端末。
【請求項６】
携帯情報端末から接続する際に、当該携帯情報端末に固有の識別情報を用いて上記携帯情報端末の認証を行う通信認証部と、
上記携帯情報端末からの映像コンテンツの録画予約をネットワークを介して受信する録画予約部と、
当該録画予約に従って映像コンテンツの録画を行う録画処理部と、
当該録画された映像コンテンツをネットワークを介して上記携帯情報端末に配信する配信制御部と
を備えることを特徴とするサーバ装置。
【請求項７】
携帯情報端末からネットワークを介してサーバ装置に接続する接続ステップと、
上記携帯情報端末に固有の識別情報を用いて上記サーバ装置に接続された上記携帯情報端末の認証を行う認証ステップと、
上記携帯情報端末からの映像コンテンツの録画予約をネットワークを介して上記サーバ装置にて受信する録画予約ステップと、
上記録画予約に従って映像コンテンツの録画を上記サーバ装置にて行う録画処理ステップと、
当該録画された映像コンテンツを上記携帯情報端末にて視聴可能な形式に変換し、ネットワークを介して上記サーバ装置から上記携帯情報端末に配信する配信ステップと
を備えたこと特徴とする映像コンテンツ録画配信方法。
【発明の詳細な説明】
【技術分野】
【０００１】
本発明は、携帯情報端末からインターネット上のサーバにアクセスしてテレビ番組の録画予約を指令し、録画予約指令に従い録画したテレビ番組を携帯情報端末に配信し、携帯情報端末にてテレビ番組を視聴するサービスを行うための映像コンテンツ録画配信システム等に関するものである。
【背景技術】
【０００２】
現在既に、インターネットを介して所望のテレビ番組の録画予約を行うことが可能な、テレビ番組の録画予約システムが実用化されている。この録画予約システムを利用して番組を予約する際の手順は、以下の通りである。まず、ユーザが携帯情報端末のブラウザを利用して、テレビ番組の番組表を公開するサーバ装置にインターネットを介して接続する。次に、公開されている番組表を参照して録画予約するテレビ番組を指定し、このテレビ番組に関する情報をサーバ装置に送信する。サーバ装置は、ユーザの自宅に設置された録画装置に録画予約されたテレビ番組に関する情報をインターネットを介し送信する。録画装置は送信された情報に基づいて録画予約されたテレビ番組を録画する。したがって、インターネットを介してサーバ装置に接続可能な環境下にユーザがいれば、所望の場所にてこの録画予約システムを利用したテレビ番組の録画予約を行うことが可能となる。
【０００３】
しかしながら、上記録画予約システムでは、インターネットを介してサーバ装置から録画装置に送信されるのは、録画予約されたテレビ番組に関する情報であり、実際にテレビ番組の録画が行われるのはユーザの自宅に設置された録画装置である。したがって、ユーザは、自宅外でテレビ番組の録画予約を行うことができても、自宅に戻らない限り録画予約したテレビ番組を視聴することができないという問題があった。
【０００４】
この問題に対し、インターネット上に録画装置を設け、録画した映像データをインターネットを介してユーザの自宅外にある再生装置、パーソナルコンピュータ等に配信して視聴する録画予約システムが提案、実現化されている。しかし、映像データの容量は非常に多いために、この録画予約システムを用いても、データ配信に時間と通信費用が非常にかかるという問題があった。また、インターネットからパーソナルコンピュータ等に映像データを配信して視聴できるようにするにはセキュリティ上の問題があり、映像コンテンツがコピーや改竄される可能性があることから、映像コンテンツの版権所有者にとってはビジネスモデルとして受け入れがたいという問題があった。
【０００５】
【特許文献１】特開２０００−６７４８８号公報
【特許文献２】特開２００２−１３５６９９号公報
【発明の開示】
【発明が解決しようとする課題】
【０００６】
本発明はこのような課題に鑑みてなされたものであり、その目的は、所望の場所にて携帯情報端末を利用した映像コンテンツの録画予約処理及び視聴処理の双方が可能であり、かつセキュリティレベルが高い映像コンテンツ録画配信方法、サーバ装置、端末装置、及び映像コンテンツ録画配信方法を提供することにある。
【課題を解決するための手段】
【０００７】
本発明に係る映像コンテンツ録画配信システムは、
ネットワークを介して映像コンテンツの録画予約が可能であり、かつ、ネットワークを介して受信した、録画予約指令に従って録画された映像コンテンツを視聴可能な携帯情報端末と、
携帯情報端末が接続する際に携帯情報端末に固有の識別情報を用いて携帯情報端末の認証を行い、録画予約に従って録画した映像コンテンツを携帯情報端末にて視聴可能な形式に変換し、ネットワークを介して携帯情報端末に配信するサーバ装置と
を備えることとしたものである。
【発明の効果】
【０００８】
本発明に係る映像コンテンツ録画配信システムは、各携帯情報端末に固有の識別情報を用いてネットワークに接続された携帯情報端末を認証するので、ＩＤやパスワードを入力する必要がなく、かつ第三者による映像情報等のコピーや改竄を防止できる効果がある。また、録画された映像コンテンツを携帯情報端末のデコード能力、例えば表示サイズ、ファイル形式等に合わせてデータを変換するので、録画された映像コンテンツを録画予約操作をした携帯情報端末にて視聴可能となる。
【発明を実施するための最良の形態】
【０００９】
実施の形態１．
＜映像コンテンツ録画配信システムの構成＞
以下、主に図１を参照して、本実施の形態の映像コンテンツ録画配信システムの構成について説明する。
【００１０】
映像コンテンツ録画配信システムは、図１に示すように、ユーザの録画予約操作により携帯情報端末１０２から指定された映像コンテンツ、例えばテレビ番組を録画し、録画したテレビ番組を配信するサーバ装置１０１と、ユーザの操作によりサーバ装置１０１に接続し、録画予約操作をサーバ装置１０１に対し指示し、かつ、サーバ装置１０１から配信される映像データを再生表示する携帯情報端末１０２を備える。ここで、携帯情報端末１０２は、例えばインターネット１０５への接続機能を有する携帯電話等であり、基地局１０３と無線通信を行い移動体通信網１０４を介して通話やメール通信が可能であると同時に、インターネット１０５にもアクセス可能である。なお、サーバ装置１０１はインターネット１０５に接続されているため、移動体通信網１０４、インターネット１０５を介して携帯情報端末１０２からサーバ装置１０１へのアクセスが可能である。
【００１１】
また、携帯情報端末１０２が無線Ｌｏｃａｌ  Ａｒｅａ  Ｎｅｔｗｏｒｋ（以下、「ＬＡＮ」と記す。）通信機能を有している場合は、無線ＬＡＮのホットスポット１０７とインターネット１０５を介し、サーバ装置１０１への接続が可能となる。なお、上述の説明では、情報通信網１０５の例としてインターネットとしたが、電話通信回線、ＷＡＮ（Ｗｉｄｅ  Ａｒｅａ  Ｎｅｔｗｏｒｋ）、ＬＡＮ、光ファイバ通信、ケーブル通信、衛星通信等他の形態の情報通信網でもよい。
【００１２】
＜サーバ装置の構成＞
サーバ装置１０１のＨ／Ｗには、汎用のパーソナルコンピュータやワークステーション等のコンピュータシステムが用いられる。サーバ装置１０１の有する機能は図２に示すように、サーバ及びデータベース、ストレージから構成される。サーバは、テレビ番組に関する情報を提供し録画予約受付を行う情報提供サーバ２０１、テレビ番組をデジタルデータに変換・圧縮して録画する録画サーバ２０２、録画したデータを配信する配信サーバ２０３により構成される。なお、情報提供サーバ２０１、録画サーバ２０２、配信サーバ２０３の各サーバは、インターネット１０５にアクセス可能である。データベースは、番組関連情報データベースとユーザ情報データベースにより構成される。ストレージは、録画コンテンツストレージにより構成される。
【００１３】
情報提供サーバ２０１は、インターネット１０５を介してアクセスした携帯情報端末１０２のブラウザからのテレビ番組関連情報の要求を受け、この要求を発信した携帯情報端末１０２に対し、番組関連情報データベース２０４に格納されたテレビ番組関連情報を送信する。番組関連情報データベース２０４は、Ｅｌｅｃｔｒｏｎｉｃ  Ｐｒｏｇｒａｍ  Ｇｕｉｄｅ（以下、「ＥＰＧ」と記す。）データ又はテレビ番組に関するデータを、情報提供サーバ２０１及び録画サーバ２０２が参照可能な形態で記憶する。また、番組関連情報データベース２０４内に記憶されているデータは、情報提供サーバ２０１または録画サーバ２０２により随時更新可能なように構成されている。情報提供サーバ２０１は、例えばＨＴＴＰ（Ｈｙｐｅｒ  Ｔｅｘｔ  Ｔｒａｎｓｆｅｒ  Ｐｒｏｔｏｃｏｌ）等のインターネット通信用プロトコルを実装し、ＨＴＭＬ（Ｈｙｐｅｒ  Ｔｅｘｔ  Ｍａｒｋｕｐ  Ｌａｎｇｕａｇｅ）ファイルの形式にて携帯情報端末１０２にテレビ番組関連情報等を送信する。
【００１４】
録画サーバ２０２は、携帯情報端末１０２から録画予約要求を受信すると、ユーザ情報データベース２０５を参照して、録画予約要求を発信した携帯情報端末１０２のユーザを特定し、課金処理等を行うと共に、録画予約設定を行う。また、録画サーバ２０２は、テレビ番組の録画開始及び録画終了時間を認識するための図示しないタイマを備え、所定のデータ圧縮形式で録画したテレビ番組のデータを録画コンテンツストレージ２０６内に蓄積する。
【００１５】
配信サーバ２０３は、録画されたテレビ番組を録画コンテンツストレージ２０６から読み出し、携帯情報端末１０２の表示サイズ、信号処理能力に合ったデータファイル形式に変換し、送信する。なお、データファイル形式には、例えば、ＭＰＥＧ（Ｍｏｖｉｎｇ  Ｐｉｃｔｕｒｅ  Ｅｘｐｅｒｔｓ  Ｇｒｏｕｐ）形式、ＡＶＩ（Ａｕｄｉｏ  Ｖｉｄｅｏ  Ｉｎｔｅｒｌｅａｖｅｄ）形式、ＷＭＶ（Ｗｉｎｄｏｗｓ（登録商標）Ｍｅｄｉａ  Ｖｉｄｅｏ）形式、ＡＳＦ（Ａｄｖａｎｃｅｄ  Ｓｔｒｅａｍｉｎｇ  Ｆｏｒｍａｔ）形式等がある。
【００１６】
番組関連情報データベース２０４は、例えば図３に示すような、各テレビ番組の番組ＩＤ、放送局、番組名、放送開始日時、及び放送終了日時等を備えるデータ形式のＥＰＧデータを記憶する。このような形式のＥＰＧデータを用いれば、ユーザは番組ＩＤを指定するだけで、所望のテレビ番組の録画予約や視聴処理を行うことが可能となる。なお、番組関連情報データベース２０４に記憶されるＥＰＧデータに、ジャンル、出演者、制作者等のテレビ番組の具体的な内容を含め、ユーザが、具体的な内容を確認することによりテレビ番組を検索し、録画予約するテレビ番組を選択できるように構成してもよい。
【００１７】
次に、映像コンテンツ録画配信システムにおける携帯情報端末１０２の認証方法について、ユーザ情報データベース２０５との関連において説明する。
ユーザ情報データベース２０５は、携帯情報端末１０２を所有するユーザに関する情報を、録画サーバ２０２が参照可能な形態で記憶する。従来のテレビ番組録画配信システムであれば、ユーザ情報データベース２０５は、サーバ装置１０１に接続する際に利用するログイン用パスワード、録画したテレビ番組を視聴する際に利用する視聴用パスワード、ユーザＩＤ等を記憶しておく必要がある。
【００１８】
ところで一般に、移動通信事業者は、各携帯情報端末１０２ごとに製造時の製造シリアル番号を把握しており、また、各携帯情報端末１０２ごとに電話番号、メールアドレス等の固有な番号を与える。そして、携帯情報端末１０２の各ユーザと移動通信事業者のみが携帯情報端末１０２の運用状況を把握している。したがって、移動通信事業者以外の第三者は把握できない携帯情報端末１０２に固有の識別情報を、携帯情報端末１０２の認証情報として用いることが可能となる。したがって、携帯情報端末１０２からサーバ装置１０１にアクセスする際、ユーザによる操作がなくても、自動的に電話番号等の各携帯情報端末１０２に固有の識別情報を用いることにより、ＩＤやパスワードを入力する必要がなくなるので、認証作業の簡素化が可能となる。また、第三者によるＩＤやパスワードのコピーや改竄の可能性を低減できることから、セキュリティレベルの高い映像コンテンツ録画配信システムを提供することが可能となる。そこで、ユーザ情報データベース２０５は、図４に示すように、ユーザＩＤとしての携帯情報端末１０２の電話番号、認証コード、電子メールアドレス等を必ず記憶しておけば、他は、情報端末１０２の契約会社、録画データ圧縮方式、ユーザが予約したテレビ番組の予約番組ＩＤ、及び予約したテレビ番組が録画予約／録画完了したか否かを示す録画状況フラグ等の情報端末１０２の運用状況の情報を任意に記憶しておけばよい。
【００１９】
＜携帯情報端末＞
携帯情報端末１０２には、通話機能以外に、メールの送受信機能、ブラウザ機能、ゲーム機能等が搭載される。さらに、デジタルカメラ機能、ムービー機能、ＭＰ３等の音楽再生機能、ＭＰＥＧ４等の動画再生機能が搭載される場合もある。また、通話のための電話番号入力の機能だけでなく、メールのための文字入力・変換、各種ファンクション入力等の機能を有しており、画像表示サイズは、例えばＱＶＧＡ（３２０×２４０画素）サイズ等である。また、取り外し可能なメモリデバイスが搭載可能である場合もあり、例えば、メモリデバイスを介して、携帯情報端末１０２以外の外部機器で記録した動画を視聴可能な場合もある。
【００２０】
なお、通信に関しては、各種通信方式が考案・改良されており、通信速度も向上している。例えば、第２世代と言われたＰＤＣの通信速度が６４Ｋｂｐｓ、第３世代のＷ-ＣＤＭＡが３８４Ｋｂｐｓであり、さらにＥＶ-ＤＯで２．４Ｍｂｐｓ、ＨＳＤＰＡで１４．４Ｍｂｐｓと、通信速度の高速化が進んでいる。さらに、無線ＬＡＮにおける通信速度も、ＩＥＥＥ８０２．１１ｂの１１ＭｂｐｓからＩＥＥＥ８０２．１１ａやＩＥＥＥ８０２．１１ｇの５４Ｍｂｐｓと高速化が進んでいる。
【００２１】
また、例えば広範囲な場所で使えるが通信速度が低速な通信方式と、通信速度が高速であるが限定された場所でしか使えない通信方式とを備え、使用場所、時間帯等に応じ適切な通信方式を自動的に選択させる、またはユーザにより選択させるようにしたデュアルモードの携帯情報端末１０２も考えられている。
【００２２】
＜携帯情報端末の内部構成、及びその基本動作＞
次に、図５を参照して、携帯情報端末装１０２の内部構成、及びその基本動作について説明する。なお、ここでは本発明とは直接関係の無い通話機能等の説明は省略する。
【００２３】
まず、携帯情報端末１０２の内部構成について説明する。携帯情報端末１０２は、例えばＷ−ＣＤＭＡ用アンテナのような、携帯端末１０２の移動に応じて基地局１０３が変わっても移動通信網１０４と通信できるＷ−ＣＤＭＡ用アンテナ５０１、アンテナ５０１にて受信した信号を処理する信号処理回路５０２、ホットスポット１０７等、特定の場所で高速通信可能な無線ＬＡＮ用アンテナ５０３、アンテナ５０３にて受信した信号を処理する無線ＬＡＮ信号処理回路５０４、ＣＰＵと周辺Ｈ／Ｗで構成される制御部５０５、メモリ５０６、デコーダ回路５０７、キー入力部５０８、表示部５０９を備える。なお、制御部５０５は、携帯情報端末１０２全体を制御する機能と共に、ブラウザ機能等も有している。
【００２４】
次に、携帯情報端末１０２の基本動作の一つである録画予約の操作について説明する。まず、ユーザによるキー入力部５０８を用いた入力操作により、インターネット１０５を介して所定のサーバ装置１０１の情報提供サーバ２０１のアドレスにアクセスする。情報提供サーバ２０１は、番組関連情報データベース２０４を参照して、ＨＴＭＬ形式の番組関連情報を携帯情報端末１０２に送信する。携帯情報端末１０２は、制御部５０５のブラウザ機能を用いて、受信した番組関連情報を表示部５０９に表示する。その後、ユーザの更なる入力操作により、表示部５０９に表示されているメニューやリンク情報を更新し、ユーザの希望する番組に関する情報を表示し、選択させる。この場合、携帯情報端末１０２は信号処理回路５０２、アンテナ５０１を動作させることにより、基地局１０３との通信や、移動体通信網１０４、インターネット１０５を介しての情報提供サーバ２０１へのアクセスが可能となり、テレビ番組の録画予約が可能となる。
【００２５】
次に、録画したテレビ番組の配信の操作について説明する。まず、ユーザによるキー入力部５０８を用いた入力操作により、インターネット１０５を介してサーバ装置１０１の配信サーバ２０３のアドレスにアクセスする。配信サーバ２０３は、録画コンテンツストレージ２０６を参照して、蓄積されているテレビ番組の情報をＨＴＭＬファイル形式にて送信する。携帯情報端末１０２は、制御部５０５のブラウザ機能を用いて、受信した情報を表示部５０９に表示する。そして、録画が完了しており、かつ視聴を希望するテレビ番組のタイトルをユーザが選択すると、映像データのダウンロードが始まり、メモリ５０６に保存される。なお、データのダウンロード時に、携帯情報端末１０２がホットスポット１０７の近くにある場合には、無線ＬＡＮ信号処理回路５０４、無線ＬＡＮ用アンテナ５０３を動作させインターネット１０５を通して配信サーバ２０３にアクセスすることで、高速ダウンロードが可能となり、映像データのダウンロードが短時間で完了する。
【００２６】
メモリ５０６に保存された映像データは、キー入力部５０８からのユーザの入力操作により、デコーダ回路５０７でデコードされた後、表示部５０９に表示されることにより視聴可能となる。
【００２７】
なお上記では、メモリ５０６へのダウンロードが完了した後に、映像データをデコードすると説明したが、ダウンロードとデコードを同時に行いながら映像データを表示部５０９に表示する所謂ストリーミング再生としても良い。また、ユーザの指令によっては、直ちにダウンロードを開始するのではなく、例えば１日という所定時間経過後に携帯電話網１０４の基地局１０３経由でダウンロードが完了するようにしても良い。これは以下のような理由による。すなわち一般的に、通信網は使用頻度を考えて輻輳が発生しないような容量が確保されている。例えば、携帯電話網１０４では、夜の８時や９時等に使用のピークをむかえるので、このピークに合わせて設備が導入されている。逆に、夜中の４時や朝方の５時には使用するユーザ数が少なく通信網は空いているので、この時間帯の通信料金を安く設定している場合がある。したがって、通信料金が安い時間帯に映像データをダウンロードすることにより、ユーザは低料金での映像データのダウンロードが可能になるとともに、携帯電話網運用会社は使用頻度の低い時間帯での通信が増えるという両者にメリットが生ずる。
【００２８】
＜コンテンツ提供システムの動作＞
次に、図１に示すような構成を有する映像コンテンツ録画配信システムにおけるコンテンツ提供システムについて説明する。は、コンテンツ提供システムのプロセスには、大きく分けて、（１）ユーザが映像コンテンツ録画配信システムを使えるようにするための登録処理、（２）ユーザが情報提供サーバ２０１から番組情報を取得する番組情報取得処理、（３）取得した番組情報から録画サーバ２０２に対してテレビ番組の録画を予約する録画予約処理、（４）ユーザが録画予約したテレビ番組を録画サーバ２０２が録画する録画処理、（５）ユーザが録画したテレビ番組をインターネット３を介して配信サーバ２０３から配信して視聴する視聴処理の、５つのプロセスが存在する。以下、これら５つのプロセスについて説明する。
【００２９】
＜登録処理＞
コンテンツ提供システムの利用を希望するユーザは、まず、登録処理を行う。従来、インターネット１０５を通じて会員登録する場合には、ユーザＩＤ、パスワード、課金のためのクレジットカード番号等の入力が必要である。しかし、本実施の形態で説明しているコンテンツ提供システムでは、携帯情報端末１０２の課金システムを利用することが可能であり、簡単に登録を行うことができるので、セキュリティを気にしながらクレジットカード番号を入力する必要はない。例えば、ＮＴＴＤｏＣｏＭｏのｉ-ＭＯＤＥ（登録商標）携帯情報端末であれば、「マイメニュー」に登録することにより、ＮＴＴＤｏＣｏＭｏ社からの毎月の費用請求の中にコンテンツ提供システムの課金を含めることができる。
【００３０】
登録処理を完了したユーザは、例えば携帯情報端末１０２のブラウザから、図６（Ａ）のようなコンテンツ提供システムが利用可能な「各種番組情報検索」が登録されたトップメニューに進むことが可能となる。
【００３１】
＜番組情報取得処理＞
次に番組情報取得処理について説明する。携帯情報端末１０２の表示部５０９に表示されたトップメニュー画面から番組情報取得処理に入るべく、「各種番組情報検索」をユーザが選択すると、携帯情報端末１０２は基地局１０３と通信を行い、移動体通信網１０４、インターネット１０５を介して情報提供サーバ２０１にアクセスする。アクセスを受けた情報提供サーバ２０１は、携帯情報端末１０２に対し認証情報を要求し、要求を受けた携帯情報端末１０２は認証情報を情報提供サーバ２０１に送信する。情報提供サーバ２０１は、携帯情報端末１０２から送信された認証情報とユーザ情報データベース２０５とを照合、確認する。認証処理の完了後、携帯情報端末１０２と情報提供サーバ２０１との間に通信パスが張られる。
【００３２】
通信パスが張られた後、情報提供サーバ２０１は、番組関連情報データベース２０４に格納されていた番組関連情報を携帯情報端末１０２に送信する。情報提供サーバ２０１から送信される番組関連情報は、例えばＨＴＭＬファイルの形式であり、携帯情報端末１０２の表示部５０９に、図６（Ｂ）のような番組検索のメニューが表示される。ここでは、時間、放送局、番組ジャンル、出演者等から検索やソーティングする等のさまざまな機能が考えられる。さらに、この番組検索のメニューに個人の好みの番組を登録することも考えられる。
【００３３】
例えば、時間をベースに検索した場合の表示例を図７（Ａ）、放送局をベースに検索した場合の表示例を図７（Ｂ）、ジャンルをベースに検索した場合の表示例を図７（Ｃ）にそれぞれ示す。ユーザは、携帯情報端末１０２の表示部５０９に表示されるメニューを確認しながらキー入力部５０８を操作することにより、情報提供サーバ２０１から送信されるメニュー画面を更新し、所望の番組を選択することが可能となる。
【００３４】
なお、上記の説明では、ブラウザ機能を用いてＨＴＭＬ形式のファイルを操作する場合を説明したが、所謂アプリケーションソフトを携帯情報端末１０２にダウンロードし、このアプリケーションソフトを用いて情報提供サーバ２０１と通信し、番組関連情報データベース２０４の情報を表示部５０９に表示する構成としてもよい。また、登録処理のみならず、後述するすべての処理をアプリケーションソフトにて行ってもよい。
【００３５】
＜録画予約処理＞
次に録画予約処理について説明する。ユーザが表示部５０９のメニュー画面上にある所望の番組を選択し「録画予約」を実行すると、携帯情報端末１０２から録画サーバ２０２にこの情報が送信される。録画サーバ２０２は、番組関連情報データベース２０４、及びユーザ情報データベース２０５を参照し、録画予約されたテレビ番組の内容、録画時間等から課金金額を算出し、携帯情報端末１０２に送信する。携帯情報端末１０２の表示部５０９に表示された録画予約内容、金額を確認した後、ユーザが確認ボタンを押すと、録画サーバ２０２は、その番組情報をユーザ情報データベース２０５の該当する予約情報に登録し予約処理を完了する。
【００３６】
なお、この録画予約処理時に、映像データを後にダウンロードあるいは再生する時に要求されるパスワードを指定できるようにしてもよい。しかし、電話番号等の各携帯情報端末１０２に固有の認証情報を利用することにより、パスワード入力等の煩雑な操作を必要とせず、セキュリティを保つことが可能である。メニュー操作でユーザが所望の番組を選択すると、表示部５０９は図８（Ａ）のようなメッセージを表示し、ユーザはこれを確認して「ＯＫ」を押すだけの簡単操作で予約処理を行うことができる。
【００３７】
また、ユーザが自身の録画予約状況や過去の利用実績等を確認するために、携帯情報端末１０２から録画サーバ２０２に確認要求を行うと、サーバ装置１０１はユーザ情報関連データベース２０５に格納されている情報を携帯情報端末１０２に送信する。この送信された情報を参照することでユーザは録画予約状況等を確認することが可能となる。実際の操作では、例えば図８（Ｂ）に示すようなメニュー画面において「利用実績・履歴・支払実績」を選択することにより、その内容を確認することとなる。
【００３８】
＜録画処理＞
録画サーバ２０２は、テレビ番組の録画開始及び録画終了時間を認識するためのタイマ（図示せず）と、各放送局からの放送電波を受信するためのチューナ（図示せず）を備え、録画したテレビ番組の映像データを所定のデータ圧縮形式で録画コンテンツストレージ２０６内に蓄積する。図９に示すフローチャートを参照して、録画処理を実行する際の録画サーバ２０２の動作の詳細について説明する。
【００３９】
ステップＳ９０１の処理では、録画サーバ２０２が、ユーザ情報データベース２０５を参照して、指定された番組ＩＤに対応するテレビ番組の放送開始時刻及び放送終了時刻を検索する。
【００４０】
ステップＳ９０２の処理では、録画サーバ２０２が、タイマが示す現在の時刻とテレビ番組の放送開始時刻とを照合し、現在の時刻がテレビ番組の放送開始時刻となったか否かを判別する。そして、判別の結果、テレビ番組の放送開始時刻となっていない場合には、録画サーバ２０２は、テレビ番組の放送開始時刻になるまでこのステップＳ９０２の処理を繰り返し実行する。一方、判別の結果、テレビ番組の放送開始時刻となった場合には、録画サーバはこの録画処理をステップＳ９０２の処理からステップＳ９０３の処理に進める。
【００４１】
ステップＳ９０３の処理では、録画サーバ２０２が、ユーザ情報データベース２０５の該当ＩＤの録画状態フラグを録画中に変更し、テレビ番組の録画を開始し、録画コンテンツストレージ２０６に映像データを蓄積する。
【００４２】
ステップＳ９０４の処理では、録画サーバ２０２が、タイマが示す現在の時刻とテレビ番組の放送終了時刻とを照合し、現在の時刻がテレビ番組の放送終了時刻となったか否かを判別する。そして、判別の結果、テレビ番組の放送終了時刻となっていない場合には、録画サーバ２０２は、テレビ番組の放送終了時刻になるまでこのステップＳ９０４の処理を繰り返し実行する。一方、判別の結果、テレビ番組の放送終了時刻となった場合には、録画サーバ２０２はこの録画処理をステップＳ９０４の処理からステップＳ９０５の処理に進める。
【００４３】
ステップＳ９０５の処理では、録画サーバ２０２がテレビ番組の録画処理を終了し、録画されたテレビ番組の映像データが録画コンテンツサーバ２０６に蓄積される。なお蓄積の際、必要であれば映像データを所定のレート、所定のファイル形式等に変換する。
【００４４】
ステップＳ９０６の処理では、録画サーバ２０２が、ユーザ情報データベース２０５の該当ＩＤの録画状態フラグを録画完了に設定する。これにより、一連の録画処理は終了する。
【００４５】
＜視聴処理＞
次に、ユーザが録画予約処理を行った携帯情報端末１０２を用いて、録画コンテンツストレージ２０６に蓄積された映像データをダウンロードして再生する場合の動作について図１０を用いて説明する。
【００４６】
図１０（Ａ）のように、携帯情報端末１０２の表示部５０９に表示されたトップメニュー画面から視聴処理に入るべく、「録画ファイル入手」をユーザが選択すると、携帯情報端末１０２は基地局１０３と通信を行い、移動体通信網１０４、インターネット１０５を介して配信サーバ２０３にアクセスする。アクセスを受けた配信サーバ２０３は、携帯情報端末１０２に対し認証情報を要求し、要求を受けた携帯情報端末１０２は認証情報を配信サーバ２０３に送信する。配信サーバ２０３は、携帯情報端末１０２から送信された認証情報とユーザ情報データベース２０５と照合、確認する。認証処理の完了後、携帯情報端末１０２と配信サーバ２０３との間に通信パスが張られる。
【００４７】
通信パスが張られた後、配信サーバ２０３は、録画コンテンツストレージ２０６に蓄積されていた映像データを携帯情報端末１０２に送信する。すなわち、携帯情報端末１０２が配信サーバ２０３に対して録画した映像データのダウンロード要求を行うと、録画サーバ２０３が認証したユーザ情報をもとにユーザ情報データベース２０５を検索し、配信サーバ２０３が図１０（Ｂ）のような番組予約情報一覧（過去に録画され、かつ現在、録画コンテンツストレージ２０６に蓄積されている映像データのタイトルの全一覧）を携帯情報端末１０２に送信する。番組予約情報一覧を受信した携帯情報端末１０２は、この番組予約情報一覧を表示部５０９に表示する。
【００４８】
携帯情報端末１０２の表示部５０９に表示された番組予約情報一覧からユーザが希望する番組を選択すると、配信サーバ２０３は該当する映像データを録画コンテンツストレージ２０６から読み出し携帯情報端末１０２にて視聴可能な形式に変換した後、送信する。なお、図４に示すユーザ情報データベースに携帯情報端末１０２にて視聴可能なファイル形式をあらかじめ登録しておき、この情報を参照して変換後のファイル形式を決定してもよい。
【００４９】
この際、携帯情報端末１０２が一般の移動体通信網と無線ＬＡＮに対応したデュアル端末でホットスポット１０７等無線ＬＡＮ環境にいる場合は、認証処理完了後、より高速な無線ＬＡＮ通信に切替えて配信サーバ２０３から配信されるようにすることで、データを高速でかつ移動体通信網の通信費を使うことなくダウンロードすることができる。また、無線ＬＡＮ通信に切替えることで、例えば１Ｍｂｐｓを超えるようなストリーミング再生も可能になる。
【００５０】
携帯情報端末１０２のメモリ５０６への映像データのダウンロードが完了した後、ユーザは所定の番組再生ソフトを立ち上げ、ダウンロードした映像データの再生指示を実行すると、映像データがデコーダ５０７でデコードされ、表示部２０９に表示される。すなわち、ユーザは録画予約した番組を再生して視聴することが可能となる。
【００５１】
なお、上記の説明では、希望の番組を選択してすぐに高速な無線ＬＡＮに切替えて配信する場合について説明したが、高速な無線ＬＡＮ環境がなく、移動体通信網しか使えない場合もある。このような場合に移動体通信網で高品位モードの動画をダウンロードしようとすると、映像データの再生に必要な実時間よりもダウンロードに時間がかかり、かつ、通信費用も高価になる。したがって、移動体通信の通信量が少ない夜中や朝方の時間帯を利用して、安価な通信費用で自動的に所定の時間までにダウンロードが完了するようにしても良い。
【００５２】
このように、映像データのダウンロードを実行する時間帯を調整することで、通信料金が安い時間帯に映像データをダウンロードすることにより、ユーザは低料金での映像データのダウンロードが可能になるとともに、携帯電話網運用会社は使用頻度の低い時間帯での通信が増えるという両者にメリットが生ずる。
【００５３】
以上説明したように、本実施の形態の映像コンテンツ録画配信システムを用いれば、ＩＤやパスワードを入力必要がなく、また、第三者による映像データのコピーや改竄を防止できる。また、携帯情報端末の課金システムを利用して利用料金の徴収を行うことにより、利用の度にクレジットカードの番号やパスワード等を入力する必要がなくなるので、利便性が向上し、かつ、支払いも携帯情報端末の月々の通話料金等と同時に処理可能になる効果がある。
【００５４】
また、録画された映像データの配信運用状態をテレビ放送事業者または映像データの版権所有者に通知することにより、映像コンテンツ事業者によるコンテンツの人気や視聴率に相当するものの把握が可能となり、かつ、コンテンツの版権料の徴収が可能となる効果がある。
【００５５】
また、携帯情報端末は複数のネットワークを介してサーバ装置に接続可能であるので、移動体通信網より高速な無線ＬＡＮ等のネットワークを利用して映像データのダウンロードを実行することにより、低価格で高速ダウロード或いは高レートなストリーミング再生が可能になる効果がある。
【００５６】
また、携帯情報端末が携帯電話であり、かつ、映像データのダウンロードを通信回線利用の少ない時間を利用して自動的に行う場合、移動通信事業者は本システム専用のＨ／Ｗ、Ｓ／Ｗ等の設備を設ける必要がないので、コストを安く機能が実現できる効果がある。さらに、ユーザにとっても低価格化につながる。
【００５７】
なお、本実施の形態では、サーバ、データベース、コンテンツストレージを図２に示すような構成としたが、この構成は本発明を機能的に理解しやすいように分けているものであり、実際の機器構成を表現しているものではない。
【図面の簡単な説明】
【００５８】
【図１】この発明のシステムの構成を示す図である。
【図２】この発明のサーバ装置の構成を示す図である。
【図３】この発明の番組関連情報データベースのデータ例を示す図である。
【図４】この発明のユーザ情報データベースのデータ例を示す図である。
【図５】この発明の携帯情報端末の例を示す構成図である。
【図６】この発明の携帯情報端末に表示されるメニューの例を示す図である。
【図７】この発明の携帯情報端末に表示されるメニューの例を示す図である。
【図８】この発明の携帯情報端末に表示されるメニューの例を示す図である。
【図９】この発明の録画サーバの動作を示すフローチャート図である。
【図１０】この発明の携帯情報端末に表示されるメニューの例を示す図である。
【符号の説明】
【００５９】
１０１  サーバ装置
１０２  携帯情報端末
１０３  基地局
１０４  移動体通信網
１０５  インターネット
１０７  ホットスポット
２０１  情報提供サーバ
２０２  録画サーバ
２０３  配信サーバ
２０４  番組関連情報データベース
２０５  ユーザ情報データベース
２０６  録画コンテンツストレージ
５０１  Ｗ−ＣＤＭＡ用アンテナ
５０２  Ｗ−ＣＤＭＡ用信号処理回路
５０３  無線ＬＡＮ用アンテナ
５０４  無線ＬＡＮ用信号処理回路
５０５  制御部
５０６  メモリ
５０７  デコーダ
５０８  キー入力部
５０９  表示部
【図１】
2005303711.tif 000003
【図２】
2005303711.tif 000004
【図３】
2005303711.tif 000005
【図４】
2005303711.tif 000006
【図５】
2005303711.tif 000007
【図６】
2005303711.tif 000008
【図７】
2005303711.tif 000009
【図８】
2005303711.tif 000010
【図９】
2005303711.tif 000011
【図１０】
2005303711.tif 000012
【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
ネットワークを介して映像コンテンツの録画予約が可能であり、かつ、ネットワークを介して受信した、当該録画予約指令に従って録画された映像コンテンツを視聴可能な携帯電話と、
上記携帯電話が接続する際に移動通信事業者以外の第三者は把握できない上記携帯電話に固有の識別情報を用いて上記携帯電話の認証を行い、上記録画予約に従って録画した映像コンテンツを上記携帯電話にて視聴可能な形式に変換し、ネットワークを介して上記携帯電話に配信するサーバ装置と
を備えることを特徴とする映像コンテンツ録画配信システム。
【請求項２】
請求項１に記載の映像コンテンツ録画配信システムに備えられた上記携帯電話であって、
ネットワークを介して上記映像コンテンツの録画予約を送信する送信部と、
当該録画予約指令に従って録画された上記映像コンテンツをネットワークを介して受信する受信部と、
当該映像コンテンツを視聴可能な表示部と
を備え、
上記サーバ装置からの要求に従って当該携帯電話に固有の識別情報を上記サーバ装置に送信する
ことを特徴とする携帯電話。
【請求項３】
請求項１に記載の映像コンテンツ録画配信システムに備えられた上記サーバ装置であって、
上記携帯電話から接続する際に、当該携帯電話に固有の識別情報を用いて上記携帯電話の認証を行う通信認証部と、
上記携帯電話からの上記映像コンテンツの録画予約をネットワークを介して受信する録画予約部と、
当該録画予約に従って上記映像コンテンツの録画を行う録画処理部と、
当該録画された映像コンテンツをネットワークを介して上記携帯電話に配信する配信制御部と
を備えることを特徴とするサーバ装置。
【請求項４】
携帯電話からネットワークを介してサーバ装置に接続する接続ステップと、
上記携帯電話が接続する際に移動通信事業者以外の第三者は把握できない上記携帯電話に固有の識別情報を用いて上記サーバ装置に接続された上記携帯電話の認証を行う認証ステップと、
上記携帯電話からの映像コンテンツの録画予約をネットワークを介して上記サーバ装置にて受信する録画予約ステップと、
上記録画予約に従って映像コンテンツの録画を上記サーバ装置にて行う録画処理ステップと、
当該録画された映像コンテンツを上記携帯電話にて視聴可能な形式に変換し、ネットワークを介して上記サーバ装置から上記携帯電話に配信する配信ステップと
を備えたこと特徴とする映像コンテンツ録画配信方法。